(57)【要約】  底面と、リムと、リムに隣接して位置付けられた蓋固定部とを備える容器本体を有する容器。蓋は、蓋を容器本体の蓋固定部に固定するようにサイズ設定され構成された蓋ベースと、蓋ベースに可動に取り付けられた蓋ドア組立体とを含む。蓋ドア組立体は、少なくとも蓋ベースに対する閉位置および蓋ベースに対する開位置をとることができるメインドアと、少なくともメインドアに対する閉位置およびメインドアに対する開位置をとることができる第１のサイドドアと、少なくともメインドアに対する閉位置およびメインドアに対する開位置をとることができる第２のサイドドアとを備える。
2019528908.tif 000002
【特許請求の範囲】
【請求項１】
容器本体であって、
底面、
リム、および
前記リムに隣接して位置付けられた蓋固定部
を備える前記容器本体と、
蓋であって、
前記蓋を、前記容器本体の前記蓋固定部に固定するようにサイズ設定され構成された蓋ベースと
前記蓋ベースに可動に取り付けられた蓋ドア組立体と、
を備える前記蓋と、
を備える容器であって、
前記蓋ドア組立体は、
少なくとも前記蓋ベースに対する閉位置および前記蓋ベースに対する開位置をとることができるメインドアと、
少なくとも前記メインドアに対する閉位置および前記メインドアに対する開位置をとることができる第１のサイドドアと、
少なくとも前記メインドアに対する閉位置および前記メインドアに対する開位置をとることができる第２のサイドドアと
を備え、
前記メインドアの前記開位置では、前記リムの内側縁部の全周囲が露出し、それにより前記容器の内容物をより容易にすくい出すことができる、容器。
【請求項２】
前記容器が粒状食品を入れるようにサイズ設定された、請求項１に記載の容器。
【請求項３】
前記メインドアが前記開位置にあるとき、前記容器の内容物をすくい出すことができるようになる、請求項１に記載の容器。
【請求項４】
前記第１のドアが前記開位置にあるとき、前記容器の内容物を注ぎ出すことができるようになる、請求項１に記載の容器。
【請求項５】
前記第２のドアが前記開位置にあるとき、前記容器の内容物をふるい出すことができるようになる、請求項１に記載の容器。
【請求項６】
前記メインドアが、前記容器本体の前記リムよりも大きい断面積を有する、請求項１に記載の容器。
【請求項７】
前記メインドアが、前記閉位置にあるときに前記容器本体の前記リムに係合するシールビードを備える、請求項１に記載の容器。
【請求項８】
前記メインドアが、前記第１のドアまたは前記第２のドアよりも大きい断面積を有する、請求項１に記載の容器。
【請求項９】
前記メインドアが、ヒンジを介して前記蓋ベースに連結される、請求項１に記載の容器。
【請求項１０】
前記第１のドアが、前記閉位置にあるときに、前記メインドアに形成された注ぎ開口部を覆い、閉じる、請求項１に記載の容器。
【請求項１１】
前記注ぎ開口部が略三角形である、請求項１０に記載の容器。
【請求項１２】
前記第１のドアが、前記閉位置にあるときに前記メインドアに形成された注ぎ開口部に係合するシールビードを備える、請求項１に記載の容器。
【請求項１３】
前記第１のドアが積重ねビードを備える、請求項１に記載の容器。
【請求項１４】
前記第１のドアがヒンジを介して取り付けられる、請求項１に記載の容器。
【請求項１５】
前記第２のドアが、前記閉位置にあるときに、前記メインドアに形成された複数のふるい開口部を覆い、閉じる、請求項１に記載の容器。
【請求項１６】
前記複数のふるい開口部が略円形である、請求項１５に記載の容器。
【請求項１７】
前記第２のドアが、前記閉位置にあるときに前記メインドアに形成された前記複数のふるい開口部のうちの１つに係合する少なくとも１つのシール突出部を備える、請求項１５に記載の容器。
【請求項１８】
前記第１のドアが積重ねビードを備える、請求項１に記載の容器。
【請求項１９】
前記第２のドアが積重ねビードを備える、請求項１に記載の容器。
【請求項２０】
前記第１のドアがヒンジを介して取り付けられる、請求項１に記載の容器。
【請求項２１】
前記第２のドアがヒンジを介して取り付けられる、請求項１に記載の容器。
【請求項２２】
前記メインドアが、前記メインドアを前記蓋ベースに連結するヒンジの反対側に配設されたスナップ連結によって、前記閉位置に保持される、請求項１に記載の容器。
【請求項２３】
前記第１のドアが、前記メインドアの前記ヒンジに対して略垂直に配向されたヒンジを介して取り付けられる、請求項１に記載の容器。
【請求項２４】
前記第２のドアが、前記メインドアの前記ヒンジに対して略垂直に配向されたヒンジを介して取り付けられる、請求項１に記載の容器。
【請求項２５】
前記第１のドアが、スナップ連結によって前記閉位置に保持され、ヒンジを介して取り付けられる、請求項１に記載の容器。
【請求項２６】
前記第１のドアが、スナップ連結によって前記閉位置に保持され、ヒンジを介して取り付けられる、請求項１に記載の容器。
【請求項２７】
前記第１のドアが、前記メインドアに取外し不可能に結合された連結区分に、ヒンジを介して連結される、請求項１に記載の容器。
【請求項２８】
前記第２のドアが、前記メインドアに取外し不可能に結合された連結区分に、ヒンジを介して連結される、請求項１に記載の容器。
【請求項２９】
連結区分が、前記メインドアに取外し不可能に連結され、
前記第１のドアが、前記連結区分の第１の側に、ヒンジを介して連結され、
前記第２のドアが、前記連結区分の第２の側に、ヒンジを介して連結された、請求項１に記載の容器。
【請求項３０】
前記蓋ベースの取外しに、前記メインドアを開ける力よりも大きい力が必要になるように、前記蓋ベースが前記蓋固定部に連結される、請求項１に記載の容器。
【請求項３１】
前記第１および第２のドアのいずれかを開けるために必要な力が、前記メインドアを開けるために必要な力よりも小さい、請求項１に記載の容器。
【請求項３２】
前記蓋ベースおよび前記メインドアが、一体ヒンジによって連結された一体形成された部材である、請求項１に記載の容器。
【請求項３３】
前記第１および第２のドアが、前記メインドアに連結可能な中央区分を有する一体形成された部材に配置される、請求項１に記載の容器。
【請求項３４】
前記第１および第２のドアが、一体ヒンジによってそれぞれ前記中央区分に連結される、請求項３３に記載の容器。
【請求項３５】
前記蓋固定区分が、窪みゾーンの上に配置された面取りゾーンを備える、請求項３３に記載の容器。
【請求項３６】
前記容器本体が、前記容器本体の前記底面に隣接して位置付けられた面取りをさらに備える、請求項３３に記載の容器。
【請求項３７】
前記容器本体の前記リムに連結された取外し可能または剥離可能な不正開封防止シールをさらに備える、請求項１に記載の容器。
【請求項３８】
前記蓋が第１の合成樹脂材料から作られ、前記容器本体が第２の合成樹脂材料から作られる、請求項１に記載の容器。
【請求項３９】
容器本体であって、
略矩形の断面、
略矩形の底面、
略矩形のリム、および
前記リムに隣接して位置付けられた蓋固定部
を備える前記容器本体と、
略矩形の蓋であって、
前記蓋を、前記容器本体の前記蓋固定部に固定するようにサイズ設定され構成された蓋ベース、および
前記蓋ベースに可動に取り付けられた蓋ドア組立体と、
を備える前記蓋と、
を備える容器であって、
前記蓋ドア組立体は、
少なくとも前記蓋ベースに対する閉位置および前記蓋ベースに対する開位置をとることができるメインドアと、
少なくとも前記メインドアに対する閉位置および前記メインドアに対する開位置をとることができる第１のサイドドアと、
少なくとも前記メインドアに対する閉位置および前記メインドアに対する開位置をとることができる第２のサイドドアと、
を備える、容器。
【請求項４０】
容器本体であって、
奥行きよりも大きい幅を有する略矩形の断面、
略矩形の底面、
略矩形のリム、
前記リムに隣接して位置付けられた蓋固定部、および
前記幅よりも大きい高さ
を備える前記容器本体と、
略矩形の蓋であって、
蓋ベースであって、装着されたときに、前記蓋ベースの上側端部が、前記リムの上側端部にまたはその下に配設されるように、前記蓋を、前記容器本体の前記蓋固定部に固定するようにサイズ設定され構成された蓋ベース、および
蓋ドア組立体であって、
ヒンジを介して前記蓋ベースに連結され、少なくとも前記蓋ベースに対する閉位置および前記蓋ベースに対する開位置をとることができるメインドア、
第１のヒンジに連結され、少なくとも前記メインドアに対する閉位置および前記メインドアに対する開位置をとることができる第１のサイドドア、および
第２のヒンジに連結され、少なくとも前記メインドアに対する閉位置および前記メインドアに対する開位置をとることができる第２のサイドドア
を備える前記蓋ドア組立体
を備える前記蓋と
を備えるスパイス容器。
【請求項４１】
容器本体であって、
奥行きよりも大きい幅を有する略矩形の断面、
略矩形の底面、
略矩形のリム、
前記リムに隣接して位置付けられ、面取り領域および窪み領域を備える蓋固定部、および
前記幅よりも大きい高さ
を備える前記容器本体と、
略矩形の蓋であって、
蓋ベースであって、装着されたときに、前記蓋ベースの上側端部が、前記リムの上側端部にまたはその下に配設されるように、前記蓋を、前記容器本体の前記蓋固定部に固定するようにサイズ設定され構成された蓋ベース、および
蓋ドア組立体であって、
メインヒンジを介して前記蓋ベースに連結されたメインドア区分、
前記メインドア区分に取外し不可能に固定された連結区分、
第１のヒンジを介して前記連結区分に連結された第１のサイドドア、
第２のヒンジを介して前記連結区分に連結された第２のサイドドアを備え、
前記第１および第２のヒンジが
互いに対して略平行に配向され、
前記メインヒンジに対して略垂直に配向された、
前記蓋ドア組立体
を備える前記蓋と、
を備えるスパイス容器。
【請求項４２】
奥行きよりも大きい幅を有する略矩形の断面を有する側壁と、
略矩形の底面と、
略水平なシール表面を画成するように内向きに突出しているリムフランジを有する略矩形のリムと、
前記リムに隣接して位置付けられ、面取り領域および窪み領域を備える蓋固定部と、
前記側壁が前記底面に合流する場所に配置された底面面取りと
を備えるスパイス容器。
【請求項４３】
前記リムフランジが、仮想水平面に対して上向きに傾斜している、請求項４２に記載のスパイス容器。
【請求項４４】
前記リムフランジが、仮想水平面に対して約５度上向きに傾斜している、請求項４２に記載のスパイス容器。
【請求項４５】
前記リムフランジが、１／１６〜１／４インチの幅を有する、請求項４２に記載のスパイス容器。
【請求項４６】
前記リムフランジが、約１／８インチの幅を有する、請求項４２に記載のスパイス容器。
【請求項４７】
前記リムフランジが、前記面取り領域の上側端部から延在している、請求項４２に記載のスパイス容器。
【請求項４８】
前記リムフランジの縁部が、奥行きよりも大きい幅を有する略矩形の断面を画成する、請求項４２に記載のスパイス容器。
【請求項４９】
前記面取り領域が、仮想水平面に対して４５度より大きい角度を有する、請求項４２に記載のスパイス容器。
【請求項５０】
前記底面面取りが、仮想水平面に対して４５度より大きい角度を有する、請求項４２に記載のスパイス容器。
【請求項５１】
前記スパイス容器の容積が、
約２オンス
約３オンス
約４オンス
約５オンス
約６オンス、および
２〜１２オンス
のうちの１つである、請求項４２に記載のスパイス容器。
【請求項５２】
前記側壁が略透明である、請求項４２に記載のスパイス容器。
【請求項５３】
略矩形の断面を有する側壁であって、
奥行きよりも大きい幅、および
前記幅よりも大きい高さ
を有する前記側壁と、
略外向きに湾曲した側壁を画成している正面および背面の厚さと、
略平坦な側壁を画成している左および右の奥行きと、
中央に配設された窪みを有する略矩形の底面と、
略水平なシール表面を画成するように内向きに突出しているリムフランジを有する略矩形のリムと、
前記リムに隣接して位置付けられ、面取り領域および窪み領域を備える蓋固定部と、
前記側壁が前記底面に合流する場所に配置された底面面取りと、
を備えるスパイス容器。
【請求項５４】
前記窪み領域が、連続していない、請求項５３記載の容器。
【請求項５５】
スパイス容器の蓋であって、
前記蓋を、容器本体の前記蓋固定部に固定するようにサイズ設定され構成された蓋ベースと、
前記蓋ベースに可動に取り付けられた蓋ドア組立体とを備え、
前記蓋ドア組立体は、
少なくとも前記蓋ベースに対する閉位置および前記蓋ベースに対する開位置をとることができるメインドア、
少なくとも前記メインドアに対する閉位置および前記メインドアに対する開位置をとることができる第１のサイドドア、および
少なくとも前記メインドアに対する閉位置および前記メインドアに対する開位置をとることができる第２のサイドドア
を備える、蓋。
【請求項５６】
前記メインドアが前記開位置にあるとき、前記容器の内容物をすくい出すことができるようになる、請求項５５に記載の蓋。
【請求項５７】
前記第１のドアが前記開位置にあるとき、前記容器の内容物を注ぎ出すことができるようになる、請求項５５に記載の蓋。
【請求項５８】
前記第２のドアが前記開位置にあるとき、前記容器の内容物をふるい出すことができるようになる、請求項５５に記載の蓋。
【請求項５９】
前記メインドアが、前記閉位置にあるときに容器のリムに係合するように構成されたシールビードを備える、請求項５５に記載の蓋。
【請求項６０】
前記メインドアが、前記第１のドアまたは前記第２のドアよりも大きい断面積を有する、請求項５５に記載の蓋。
【請求項６１】
前記メインドアが、ヒンジを介して前記蓋ベースに連結される、請求項５５に記載の蓋。
【請求項６２】
前記第１のドアが、前記閉位置にあるときに、前記メインドアに形成された注ぎ開口部を覆い、閉じる、請求項５５に記載の蓋。
【請求項６３】
前記注ぎ開口部が略三角形である、請求項６２に記載の蓋。
【請求項６４】
前記第１のドアが、前記閉位置にあるときに前記メインドアに形成された注ぎ開口部に係合するシールビードを備える、請求項５５に記載の蓋。
【請求項６５】
前記第１のドアが積重ねビードを備える、請求項５５に記載の蓋。
【請求項６６】
前記第１のドアがヒンジを介して取り付けられる、請求項５５に記載の蓋。
【請求項６７】
前記第２のドアが、前記閉位置にあるときに、前記メインドアに形成された複数のふるい開口部を覆い、閉じる、請求項５５に記載の蓋。
【請求項６８】
前記複数のふるい開口部が略円形である、請求項６７に記載の蓋。
【請求項６９】
前記第２のドアが、前記閉位置にあるときに前記メインドアに形成された前記複数のふるい開口部のうちの１つに係合する少なくとも１つのシール突出部を備える、請求項６７に記載の蓋。
【請求項７０】
前記第１のドアが積重ねビードを備える、請求項５５に記載の蓋。
【請求項７１】
前記第２のドアが積重ねビードを備える、請求項５５に記載の蓋。
【請求項７２】
ヒンジを介して前記第１のドアが取り付けられる、請求項５５に記載の蓋。
【請求項７３】
ヒンジを介して前記第２のドアが取り付けられる、請求項５５に記載の蓋。
【請求項７４】
前記メインドアが、前記メインドアを前記蓋ベースに連結するヒンジの反対側に配設されたスナップ連結によって、前記閉位置に保持される、請求項５５に記載の蓋。
【請求項７５】
前記第１のドアが、前記メインドアの前記ヒンジに対して略垂直に配向されたヒンジを介して取り付けられる、請求項５５に記載の蓋。
【請求項７６】
前記第２のドアが、前記メインドアの前記ヒンジに対して略垂直に配向されたヒンジを介して取り付けられる、請求項５５に記載の蓋。
【請求項７７】
前記第１のドアが、スナップ連結によって前記閉位置に保持され、ヒンジを介して取り付けられる、請求項５５に記載の蓋。
【請求項７８】
前記第１のドアが、スナップ連結によって前記閉位置に保持され、ヒンジを介して取り付けられる、請求項５５に記載の蓋。
【請求項７９】
前記第１のドアが、前記メインドアに取外し不可能に結合された連結区分に、ヒンジを介して連結される、請求項５５に記載の蓋。
【請求項８０】
前記第２のドアが、前記メインドアに取外し不可能に結合された連結区分に、ヒンジを介して連結される、請求項５５に記載の蓋。
【請求項８１】
連結区分が、前記メインドアに取外し不可能に連結され、
前記第１のドアが、前記連結区分の第１の側に、ヒンジを介して連結され、
前記第２のドアが、前記連結区分の第２の側に、ヒンジを介して連結された、請求項５５に記載の蓋。
【請求項８２】
前記蓋ベースの取外しに、前記メインドアを開ける力よりも大きい力が必要になるように、前記蓋ベースが蓋固定部に連結可能である、請求項５５に記載の蓋。
【請求項８３】
前記第１および第２のドアのいずれかを開けるために必要な力が、前記メインドアを開けるために必要な力よりも小さい、請求項５５に記載の蓋。
【請求項８４】
前記蓋ベースおよび前記メインドアが、一体ヒンジによって連結された一体形成された部材である、請求項５５に記載の蓋。
【請求項８５】
前記第１および第２のドアが、前記メインドアに連結可能な中央区分を有する一体形成された部材に配置される、請求項５５に記載の蓋。
【請求項８６】
前記第１および第２のドアが、一体ヒンジによってそれぞれ前記中央区分に連結される、請求項８５に記載の蓋。
【請求項８７】
前記蓋が合成樹脂材料から作られる、請求項５５に記載の蓋。
【請求項８８】
容器の蓋であって、
前記蓋を、容器本体の前記蓋固定部に固定するようにサイズ設定され構成された略矩形の蓋ベースと、
前記蓋ベースに可動に取り付けられた蓋ドア組立体とを備え、
前記蓋ドア組立体は、
少なくとも前記蓋ベースに対する閉位置および前記蓋ベースに対する開位置をとることができ、スプーンを示すまたは描いた印を備える、略矩形のメインドア、
少なくとも前記メインドアに対する閉位置および前記メインドアに対する開位置をとることができ、注ぎ開口部を示すまたは描いた印を備える、第１のサイドドア、および
少なくとも前記メインドアに対する閉位置および前記メインドアに対する開位置をとることができ、ふるい開口部を示すまたは描いた印を備える、第２のサイドドア
を備える、蓋。
【請求項８９】
スプーンを示すまたは描いた前記印が、スプーン形状の記号を備える、請求項８８に記載の蓋。
【請求項９０】
注ぎ開口部を示すまたは描いた前記印が、略三角形状の開口記号を備える、請求項８８に記載の蓋。
【請求項９１】
ふるい開口部を示すまたは描いた前記印が、略円形状の開口記号を備える、請求項８８に記載の蓋。
【請求項９２】
容器であって、
奥行きよりも大きい幅を有する略矩形の断面、
略矩形の底面、
略矩形のリム、
前記リムに隣接して位置付けられ、面取り領域および窪み領域を備える蓋固定部、および
前記幅よりも大きい高さ
を備える前記容器と、
マルチドアの蓋であって、
蓋ベースであって、装着されたときに、前記蓋ベースの上側端部が、前記リムの上側端部にまたはその下に配設されるように、前記蓋を、前記容器本体の前記蓋固定部に固定するようにサイズ設定され構成された蓋ベース、および
蓋ドア組立体であって、
メインヒンジを介して前記蓋ベースに連結されたスプーンドア、
第１のヒンジを介して前記スプーンドアに連結された注ぎドア、
第２のヒンジを介して前記スプーンドアに連結されたふるいドアを備え、
前記第１および第２のヒンジが
互いに対して略平行に配向され、
前記メインヒンジに対して略垂直に配向されている、
前記蓋ドア組立体
を備える前記マルチドアの蓋と
を備える容器組立体。
【請求項９３】
粒状製品の容器であって、
略矩形の容器本体であって、
面取りされた底面、
面取りされたリム、および
前記リムに隣接して位置付けられた蓋固定部
を備える前記容器本体と、
蓋であって、
前記蓋を、前記容器本体の前記蓋固定部に固定するようにサイズ設定され構成された蓋ベース、および
前記蓋ベースに可動に取り付けられた蓋ドア組立体
を備える前記蓋と
を備える容器であって、
前記蓋ドア組立体は、
反対側に一体ヒンジを有し、少なくとも前記蓋ベースに対する閉位置および前記蓋ベースに対する開位置をとることができる正面開きのメインドア、
少なくとも前記メインドアに対する閉位置および前記メインドアに対する開位置をとることができる左サイドドア、および
少なくとも前記メインドアに対する閉位置および前記メインドアに対する開位置をとることができる右サイドドア
を備える、容器。
【請求項９４】
粒状製品の容器であって、前記容器は、
１〜３２オンスの容積を有する略矩形の容器本体であって、
略外向きに湾曲した正面側および背面側、
前記正面側および背面側よりも小さい幅をそれぞれが有する略平坦な左側および右側
前記正面側および背面側を、前記左側および右側に連結する丸角、
面取りされた底面領域、
面取りされたリム領域、および
前記リムに隣接して位置付けられた蓋固定部
を備える前記容器本体と、
取外し可能な不正開封シールと、
蓋であって、
前記蓋を、前記容器本体の前記蓋固定部に固定するようにサイズ設定され構成された蓋ベース、および
前記蓋ベースに可動に取り付けられた蓋ドア組立体
を備える前記蓋と
を備え、
前記蓋ドア組立体は、
前記正面側が開き、前記背面側がヒンジ連結されるように適合されたメインドアであって、少なくとも前記蓋ベースに対するスナップ連結を介した閉位置および前記蓋ベースに対する開位置をとることができるメインドア、
少なくとも前記メインドアに対するスナップ連結を介した閉位置および前記メインドアに対する開位置をとることができる左サイドドア、
少なくとも前記メインドアに対するスナップ連結を介した閉位置および前記メインドアに対する開位置をとることができる右サイドドア、
前記左サイドドアおよび右サイドドアのうちの一方の面積の半分未満の開口面積を有する略三角形状の注ぎ開口部、
注ぎ開口部を表す印、
ふるい開口部を表す印、および
スプーンを表す印
を備える粒状製品の容器。
【請求項９５】
前記左サイドドアおよび右サイドドアのいずれかを開けるために必要な力が、前記メインドアを開けるために必要な力よりも小さい、請求項９４に記載の容器。
【請求項９６】
粒状製品の容器であって、前記容器は、
１〜３２オンスの容積を有する略矩形の容器本体であって、
略外向きに湾曲した正面側および背面側、
前記正面側および背面側よりも小さい幅をそれぞれが有する略平坦な左側および右側
前記正面側および背面側を、前記左側および右側に連結する丸角、
面取りされた底面領域、
面取りされたリム領域、および
前記リムに隣接して位置付けられた蓋固定部
を備える前記容器本体と、
取外し可能な不正開封シールと、
蓋であって、
前記蓋を、前記容器本体の前記蓋固定部に固定するようにサイズ設定され構成された蓋ベース、および
前記蓋ベースに可動に取り付けられた蓋ドア組立体
を備える前記蓋と
を備え、
前記蓋ドア組立体は、
前記正面側が開き、前記背面側がヒンジ連結されるように適合されたメインドアであって、閉位置において前記リム領域の表面に係合し、前記閉位置において前記蓋ベースにスナップ連結を介して係合するシールビードを有し、前記スナップ連結が、少なくとも１つのロック突出部および少なくとも１つのロック凹部を含む、メインドア、
少なくとも前記メインドアに対するスナップ連結を介した閉位置とることができ、前記閉位置において、前記メインドアに配置された注ぎ開口部を閉じる左サイドドア、
少なくとも前記メインドアに対するスナップ連結を介した閉位置とることができ、前記閉位置において、前記メインドアに配置された複数の開口部を閉じる右サイドドア、
注ぎ開口部を表す印、
ふるい開口部を表す印、および
スプーンを表す印
を備える容器。
【請求項９７】
前記左サイドドアおよび右サイドドアのいずれかを開けるために必要な力が、前記メインドアを開けるために必要な力よりも小さい、請求項９６に記載の容器。
【請求項９８】
粒状製品の容器であって、前記容器は、
１〜３２オンスの容積を有する略矩形の容器本体であって、
略外向きに湾曲した正面側および背面側、
前記正面側および背面側よりも小さい幅をそれぞれが有する略平坦な左側および右側
前記正面側および背面側を、前記左側および右側に連結する丸角、
面取りされた底面領域、
面取りされたリム領域、および
前記リムに隣接して位置付けられた蓋固定部
を備える前記容器本体と、
取外し可能な不正開封シールと、
蓋であって、
前記蓋を、前記容器本体の前記蓋固定部に固定するようにサイズ設定され構成された蓋ベース、および
前記蓋ベースに可動に取り付けられた蓋ドア組立体
を備える前記蓋と
を備え、
前記蓋ドア組立体は、
前記正面側が開き、前記背面側がヒンジ連結されるように適合されたメインドアであって、閉位置において前記リム領域の表面に係合し、前記閉位置において前記蓋ベースにスナップ連結を介して係合するシールビードを有し、前記スナップ連結が、少なくとも１つのロック突出部および少なくとも１つのロック凹部を含む、メインドア、
少なくとも前記メインドアに対するスナップ連結を介した閉位置とることができ、前記閉位置において、前記メインドアに配置された注ぎ開口部を閉じる左サイドドア、
少なくとも前記メインドアに対するスナップ連結を介した閉位置とることができ、前記閉位置において、前記メインドアに配置された複数の開口部を閉じる右サイドドア、
注ぎ開口部を表す印、
ふるい開口部を表す印、および
スプーンを表す印
を備える容器。
【発明の詳細な説明】
【技術分野】
【０００１】
関連出願の相互参照
【０００２】
本出願は、２０１６年９月１９日に出願された米国仮特許出願第６２／３９６，５７８号の利益を主張する国際出願であり、この開示は、その全体が参考として本出願に明示的に組み込まれる。
【０００３】
本発明は、全般的に容器および蓋に関し、詳細には、例えばスパイスもしくは胡椒の容器など乾燥食品および粒状製品の容器、ならびに同容器を製作および使用する方法に関する。
【背景技術】
【０００４】
その開示全体が参考として本明細書に組み込まれるＢｌｕｍらの米国特許出願公開第２００７／０１７０１９２号明細書は、３ドアの蓋を有する容器の様々な実施形態を開示している。
【０００５】
しかし、既存のまたは知られている乾燥食品容器には、本明細書で開示する容器、または蓋、またはこれらの組合せにおいて活用される１つもしくは複数の特徴がない。
【発明の概要】
【課題を解決するための手段】
【０００６】
本発明の非限定的な一実施形態によれば、底面と、リムと、リムに隣接して位置付けられた蓋固定部とを備える容器本体を備える容器が提供される。蓋は、蓋を容器本体の蓋固定部に固定するようにサイズ設定され構成された蓋ベースと、蓋ベースに可動に取り付けられた蓋ドア組立体とを備える。蓋ドア組立体は、少なくとも蓋ベースに対する閉位置および蓋ベースに対する開位置をとることができるメインドアと、少なくともメインドアに対する閉位置およびメインドアに対する開位置をとることができる第１のサイドドアと、少なくともメインドアに対する閉位置およびメインドアに対する開位置をとることができる第２のサイドドアとを備える。
【０００７】
実施形態では、容器は粒状食品を入れるようにサイズ設定される。
【０００８】
実施形態では、メインドアが開位置にあるとき、容器の内容物をすくい出すことができるようになる。
【０００９】
実施形態では、第１のドアが開位置にあるとき、容器の内容物を注ぎ出すことができるようになる。
【００１０】
実施形態では、第２のドアが開位置にあるとき、容器の内容物をふるい出すことができるようになる。
【００１１】
実施形態では、メインドアは、容器本体のリムよりも大きい断面積を有する。
【００１２】
実施形態では、メインドアは、閉位置にあるときに容器本体のリムに係合するシールビードを備える。
【００１３】
実施形態では、メインドアは、第１のドアまたは第２のドアよりも大きい断面積を有する。
【００１４】
実施形態では、メインドアは、ヒンジを介して蓋ベースに連結される。
【００１５】
実施形態では、第１のドアは閉位置にあるときに、メインドアに形成された注ぎ開口部を覆い、閉じる。
【００１６】
実施形態では、注ぎ開口部は略三角形である。
【００１７】
実施形態では、第１のドアは、閉位置にあるときにメインドアに形成された注ぎ開口部に係合するシールビードを備える。
【００１８】
実施形態では、第１のドアは積重ねビードを備える。
【００１９】
実施形態では、第１のドアはヒンジを介して取り付けられる。
【００２０】
実施形態では、第２のドアは閉位置にあるときに、メインドアに形成された複数のふるい開口部を覆い、閉じる。
【００２１】
実施形態では、複数のふるい開口部は略円形である。
【００２２】
実施形態では、第２のドアは、閉位置にあるときにメインドアに形成された複数のふるい開口部のうちの１つに係合する少なくとも１つのシール突出部を備える。
【００２３】
実施形態では、第１のドアは積重ねビードを備える。
【００２４】
実施形態では、第２のドアは積重ねビードを備える。
【００２５】
実施形態では、第１のドアはヒンジを介して取り付けられる。
【００２６】
実施形態では、第２のドアはヒンジを介して取り付けられる。
【００２７】
実施形態では、メインドアは、メインドアを蓋ベースに連結するヒンジの反対側に配設されたスナップ連結によって、閉位置に保持される。
【００２８】
実施形態では、第１のドアは、メインドアのヒンジに対して略垂直に配向されたヒンジを介して取り付けられる。
【００２９】
実施形態では、第２のドアは、メインドアのヒンジに対して略垂直に配向されたヒンジを介して取り付けられる。
【００３０】
実施形態では、第１のドアは、スナップ連結によって閉位置に保持され、ヒンジを介して取り付けられる。
【００３１】
実施形態では、第１のドアは、スナップ連結によって閉位置に保持され、ヒンジを介して取り付けられる。
【００３２】
実施形態では、第１のドアは、メインドアに取外し不可能に結合された連結区分に、ヒンジを介して連結される。
【００３３】
実施形態では、第２のドアは、メインドアに取外し不可能に結合された連結区分に、ヒンジを介して連結される。
【００３４】
実施形態では、連結区分はメインドアに取外し不可能に連結され、第１のドアは、連結区分の第１の側にヒンジを介して連結され、第２のドアは、連結区分の第２の側にヒンジを介して連結される。
【００３５】
実施形態では、蓋ベースの取外しに、メインドアを開ける力よりも大きい力が必要になるように、蓋ベースが蓋固定部に連結される。
【００３６】
実施形態では、第１および第２のドアのいずれかを開けるために必要な力が、メインドアを開けるために必要な力よりも小さい。
【００３７】
実施形態では、蓋ベースおよびメインドアは、一体ヒンジによって連結された一体形成された部材である。
【００３８】
実施形態では、第１および第２のドアは、メインドアに連結可能な中央区分を有する一体形成された部材に配置される。
【００３９】
実施形態では、第１および第２のドアは、一体ヒンジによってそれぞれ中央区分に連結される。
【００４０】
実施形態では、蓋固定区分は、窪みゾーンの上に配置された面取りゾーンを備える。
【００４１】
実施形態では、容器本体は、容器本体の底面に隣接して位置付けられた面取りをさらに備える。
【００４２】
実施形態では、容器は、容器本体のリムに連結された取外し可能または剥離可能な不正開封防止シールをさらに備える。あるいは、またはそれに加えて、製品容器がまだ使用されていない、または不正開封されていないことを使用者または購入者に保証するために、全体収縮スリーブを利用することができる。
【００４３】
実施形態では、蓋は第１の合成樹脂材料から作られ、容器本体は第２の合成樹脂材料から作られる。
【００４４】
実施形態では、本発明は、略矩形の断面と、略矩形の底面と、略矩形のリムと、リムに隣接して位置付けられた蓋固定部とを備える容器本体を備える容器も提供する。略矩形の蓋は、蓋を容器本体の蓋固定部に固定するようにサイズ設定され構成された蓋ベースと、蓋ベースに可動に取り付けられた蓋ドア組立体とを備える。蓋ドア組立体は、少なくとも蓋ベースに対する閉位置および蓋ベースに対する開位置をとることができるメインドアと、少なくともメインドアに対する閉位置およびメインドアに対する開位置をとることができる第１のサイドドアと、少なくともメインドアに対する閉位置およびメインドアに対する開位置をとることができる第２のサイドドアとを備える。
【００４５】
実施形態では、本発明は、奥行きよりも大きい幅を有する略矩形の断面と、略矩形の底面と、略矩形のリムと、リムに隣接して位置付けられた蓋固定部と、幅よりも大きい高さとを備える容器本体を備えるスパイス容器も提供する。略矩形の蓋は、蓋ベースであって、装着されたときに、蓋ベースの上側端部が、リムの上側端部にまたはその下に配設されるように、蓋を容器本体の蓋固定部に固定するようにサイズ設定され構成された蓋ベースを備える。蓋ドア組立体は、ヒンジを介して蓋ベースに連結されたメインドアであって、少なくとも蓋ベースに対する閉位置および蓋ベースに対する開位置をとることができるメインドアと、第１のヒンジに連結され、少なくともメインドアに対する閉位置およびメインドアに対する開位置をとることができる第１のサイドドアと、第２のヒンジに連結され、少なくともメインドアに対する閉位置およびメインドアに対する開位置をとることができる第２のサイドドアとを備える。
【００４６】
実施形態では、本発明は、奥行きよりも大きい幅を有する略矩形の断面と、略矩形の底面と、略矩形のリムと、リムに隣接して位置付けられ、面取り領域および窪み領域を備える蓋固定部と、幅よりも大きい高さとを備える容器本体を備えるスパイス容器も提供する。略矩形の蓋は、蓋ベースであって、装着されたときに、蓋ベースの上側端部が、リムの上側端部にまたはその下に配設されるように、蓋を容器本体の蓋固定部に固定するようにサイズ設定され構成された蓋ベースを備える。蓋ドア組立体は、メインヒンジを介して蓋ベースに連結されたメインドア区分と、メインドア区分に取外し不可能に固定された連結区分と、第１のヒンジを介して連結区分に連結された第１のサイドドアと、第２のヒンジを介して連結区分に連結された第２のサイドドアとを備える。第１および第２のヒンジは、互いに対して略平行に、メインヒンジに対して略垂直に配向される。
【００４７】
実施形態では、本発明は、奥行きよりも大きい幅を有する略矩形の断面を有する側壁と、略矩形の底面と、略水平なシール表面を画成するように内向きに突出しているリムフランジを有する略矩形のリムと、リムに隣接して位置付けられ、面取り領域および窪み領域を備える蓋固定部と、側壁が底面に合流する場所に配置された底面面取りとを備えるスパイス容器も提供する。
【００４８】
実施形態では、リムフランジは、仮想水平面に対して上向きに傾斜している。
【００４９】
実施形態では、リムフランジは、仮想水平面に対して約５度上向きに傾斜している。
【００５０】
実施形態では、リムフランジは、１／１６〜１／４インチの幅を有する。
【００５１】
実施形態では、リムフランジは、約１／８インチの幅を有する。
【００５２】
実施形態では、リムフランジは、面取り領域の上側端部から延在している。
【００５３】
実施形態では、リムフランジの縁部は、奥行きよりも大きい幅を有する略矩形の断面を画成する。
【００５４】
実施形態では、面取り領域は、仮想水平面に対して４５度より大きい角度を有する。
【００５５】
実施形態では、底面面取りは、仮想水平面に対して４５度より大きい角度を有する。
【００５６】
実施形態では、スパイス容器の容積は、約２オンス、約３オンス、約４オンス、約５オンス、約６オンス、２〜１２オンス、１〜１６オンス、および１〜３２オンスのうちの１つである。
【００５７】
実施形態では、側壁は略透明である。
【００５８】
実施形態では、奥行きよりも大きい幅および幅よりも大きい高さを有する略矩形の断面を有する側壁と、略外向きに湾曲した側壁を画成している正面および背面の厚さと、略平坦な側壁を画成している左および右の奥行きと、中央に配設された窪みを有する略矩形の底面と、略水平なシール表面を画成するように内向きに突出しているリムフランジを有する略矩形のリムと、リムに隣接して位置付けられ、面取り領域および窪み領域を備える蓋固定部と、側壁が底面に合流する場所に配置された底面面取りとを備えるスパイス容器が提供される。
【００５９】
実施形態では、窪み領域は連続していない。
【００６０】
実施形態では、蓋を容器本体の蓋固定部に固定するようにサイズ設定され構成された蓋ベースと、蓋ベースに可動に取り付けられた蓋ドア組立体とを備えるスパイス容器の蓋が提供される。蓋ドア組立体は、少なくとも蓋ベースに対する閉位置および蓋ベースに対する開位置をとることができるメインドアと、少なくともメインドアに対する閉位置およびメインドアに対する開位置をとることができる第１のサイドドアと、少なくともメインドアに対する閉位置およびメインドアに対する開位置をとることができる第２のサイドドアとを備える。
【００６１】
実施形態では、メインドアが開位置にあるとき、容器の内容物をすくい出すことができるようになる。
【００６２】
実施形態では、第１のドアが開位置にあるとき、容器の内容物を注ぎ出すことができるようになる。
【００６３】
実施形態では、第２のドアが開位置にあるとき、容器の内容物をふるい出すことができるようになる。
【００６４】
実施形態では、メインドアは、閉位置にあるときに容器のリムに係合するように構成されたシールビードを備える。
【００６５】
実施形態では、メインドアは、第１のドアまたは第２のドアよりも大きい断面積を有する。
【００６６】
実施形態では、メインドアは、ヒンジを介して蓋ベースに連結される。
【００６７】
実施形態では、第１のドアは閉位置にあるときに、メインドアに形成された注ぎ開口部を覆い、閉じる。
【００６８】
実施形態では、注ぎ開口部は略三角形である。
【００６９】
実施形態では、第１のドアは、閉位置にあるときにメインドアに形成された注ぎ開口部に係合するシールビードを備える。
【００７０】
実施形態では、第１のドアは積重ねビードを備える。
【００７１】
実施形態では、第１のドアはヒンジを介して取り付けられる。
【００７２】
実施形態では、第２のドアは閉位置にあるときに、メインドアに形成された複数のふるい開口部を覆い、閉じる。
【００７３】
実施形態では、複数のふるい開口部は略円形である。
【００７４】
実施形態では、第２のドアは、閉位置にあるときにメインドアに形成された複数のふるい開口部のうちの１つに係合する少なくとも１つのシール突出部を備える。
【００７５】
実施形態では、第１のドアは積重ねビードを備える。
【００７６】
実施形態では、第２のドアは積重ねビードを備える。
【００７７】
実施形態では、第１のドアはヒンジを介して取り付けられる。
【００７８】
実施形態では、第２のドアはヒンジを介して取り付けられる。
【００７９】
実施形態では、メインドアは、メインドアを蓋ベースに連結するヒンジの反対側に配設されたスナップ連結によって、閉位置に保持される。
【００８０】
実施形態では、第１のドアは、メインドアのヒンジに対して略垂直に配向されたヒンジを介して取り付けられる。
【００８１】
実施形態では、第２のドアは、メインドアのヒンジに対して略垂直に配向されたヒンジを介して取り付けられる。
【００８２】
実施形態では、第１のドアは、スナップ連結によって閉位置に保持され、ヒンジを介して取り付けられる。
【００８３】
実施形態では、第１のドアは、スナップ連結によって閉位置に保持され、ヒンジを介して取り付けられる。
【００８４】
実施形態では、第１のドアは、メインドアに取外し不可能に結合された連結区分に、ヒンジを介して連結される。
【００８５】
実施形態では、第２のドアは、メインドアに取外し不可能に結合された連結区分に、ヒンジを介して連結される。
【００８６】
実施形態では、連結区分は、メインドアに取外し不可能に連結され、第１のドアは、連結区分の第１の側にヒンジを介して連結され、第２のドアは、連結区分の第２の側にヒンジを介して連結される。
【００８７】
実施形態では、蓋ベースの取外しに、メインドアを開ける力よりも大きい力が必要になるように、蓋ベースが蓋固定部に連結可能である。
【００８８】
実施形態では、第１のおよび第２のドアのいずれかを開けるために必要な力は、メインドアを開けるために必要な力よりも小さい。
【００８９】
実施形態では、蓋ベースおよびメインドアは、一体ヒンジによって連結された一体形成された部材である。
【００９０】
実施形態では、第１および第２のドアは、メインドアに連結可能な中央区分を有する一体形成された部材に配置される。
【００９１】
実施形態では、第１および第２のドアは、一体ヒンジによってそれぞれ中央区分に連結される。
【００９２】
実施形態では、蓋は合成樹脂材料から作られる。
【００９３】
実施形態では、蓋を容器本体の蓋固定部に固定するようにサイズ設定され構成された略矩形の蓋ベースと、蓋ベースに可動に取り付けられた蓋ドア組立体とを備える容器の蓋が提供される。蓋ドア組立体は、少なくとも蓋ベースに対する閉位置および蓋ベースに対する開位置をとることができる略矩形のメインドアであって、スプーンを示すまたは描いた印と、少なくともメインドアに対する閉位置およびメインドアに対する開位置をとることができる第１のサイドドアであって、注ぎ開口部を示すまたは描いた印を備える第１のサイドドアと、少なくともメインドアに対する閉位置およびメインドアに対する開位置をとることができる第２のサイドドアであって、ふるい開口部を示すまたは描いた印を備える第２のサイドドアとを備えるメインドアを備える。
【００９４】
実施形態では、スプーンを示すまたは描いた印は、スプーン形状の記号を備える。
【００９５】
実施形態では、注ぎ開口部を示すまたは描いた印は、略三角形状の開口記号を備える。
【００９６】
実施形態では、ふるい開口部を示すまたは描いた印は、略円形状の開口記号を備える。
【００９７】
実施形態では、本発明は、奥行きよりも大きい幅を有する略矩形の断面と、略矩形の底面と、略矩形のリムと、リムに隣接して位置付けられ、面取り領域および窪み領域を備える蓋固定部と、幅よりも大きい高さとを備える容器を備える容器組立体も提供する。マルチドアの蓋は、蓋ベースであって、装着されたときに、蓋ベースの上側端部が、リムの上側端部にまたはその下に配設されるように、蓋を容器本体の蓋固定部に固定するようにサイズ設定され構成された蓋ベースを備える。蓋ドア組立体は、メインヒンジを介して蓋ベースに連結されたスプーンドアと、第１のヒンジを介してスプーンドアに連結された注ぎドアと、第２のヒンジを介してスプーンドアに連結されたふるいドアとを備える。第１および第２のヒンジは、互いに対して略平行に配向され、メインヒンジに対して略垂直に配向される。
【００９８】
本発明の他の例示的な実施形態および利点は、本開示および添付の図面を考察することによって確認することができる。
【００９９】
本発明は、本発明の例示的な実施形態の非限定的な例を用いて、注目に値する複数の図面を参照しながら、以下の詳細な説明においてさらに説明される。図面では、同様の参照符号は、図面のいくつかの図にわたって同様の部分を表している。
図は、基本的特徴、機能を示し、理解を助けることを意図しており、市販の実施形態で利用される特徴または細部を示しても示さなくてもよい。
【図面の簡単な説明】
【０１００】
【図１】本発明による３ドアの蓋が装着された、蓋が閉位置で示されている容器を示す図である。
【図２】図１の正面図である。
【図３】図１の背面図である。
【図４】図１の右側図である。
【図５】図１の左側図である。
【図６】図１の上面図である。
【図７】図１の底面図である。
【図８】図１の３ドアの蓋が装着された、蓋が開位置で示されている容器を示す図である。
【図９】図８の背面図である。
【図１０】図８の右側図である。
【図１１】図８の上側図である。
【図１２】図１の３ドアの蓋が装着された、蓋の２つのサイドドアが開位置で示されている容器を示す図である。
【図１３】図１２の背面図である。
【図１４】図１２の右側図である。
【図１５】図１２の左側図である。
【図１６】図１２の上側図である。
【図１７】容器の容積を増大させるために容器が可変高さで示されている、３ドアの蓋を有する別の容器の図である。例示的な容積は、１〜３２オンス（およびメートルまたはグラムの等価物）の範囲にあり、例えば２．１２オンスまたは６０グラムなど、同範囲内の任意の整数値および／または小数値である。
【図１８】容器の容積を増大させるために容器が可変高さで示されている、３ドアの蓋を有する別の容器の図である。例示的な容積は、１〜３２オンス（およびメートルまたはグラムの等価物）の範囲にあり、例えば２．１２オンスまたは６０グラムなど、同範囲内の任意の整数値および／または小数値である。
【図１９】メインの蓋ドアが９０度開いた状態の図１７の容器である。
【図２０】メインの蓋ドアが１８０度開いた状態の図１７の容器である。
【図２１】２つのサイドドアのドアが約４５度開いた状態の図１７の容器である。
【図２２】２つのサイドドアのドアが約９０度開いた状態の図１７の容器である。
【図２３】図１７の実施形態の断面図である。
【図２４】図１の実施形態で利用される容器の図である。破線は、容器のメイン開口部の形状を表す。
【図２５】図２４の正面図である。
【図２６】図２４の背面図である。
【図２７】図２４の右側図である。
【図２８】図２４の左側図である。
【図２９】図２４の上面図である。
【図３０】図２４の底面図である。
【図３１】図１の実施形態で利用される３ドアの蓋の図である。破線は、サイズおよび／または数を変えることができる円形特徴部の形状を表す。
【図３２】図３１の正面図である。
【図３３】図３１の背面図である。
【図３４】図３１の左側図である。
【図３５】図３１の右側図である。
【図３６】図３１の上面図である。
【図３７】図３１の底面図である。
【図３８】図３１の実施形態の断面図である。
【図３９】蓋が開位置で示されている図３１の３ドアの蓋の正面図である。
【図４０】図３９の背面図である。
【図４１】図３９の左側図である。
【図４２】図３９の右側図である。
【図４３】図３９の上面図である。
【図４４】図３９の底面図である。
【図４５】蓋の２つのサイドドアが開位置で示されている図３１の３ドアの蓋の図である。
【図４６】図４５の背面図である。
【図４７】図４５の左側図である。
【図４８】図４５の右側図である。
【図４９】図４５の上側図である。
【図５０】図４５の底面図である。
【図５１】図３１の蓋で利用される上部分の上面斜視図である。
【図５２】図３１の蓋で利用される中央部分の上面斜視図である。
【図５３】図３１の蓋で利用される下部分の上面斜視図である。
【図５４】図２４の容器で利用することができる３ドアの蓋の別の実施形態の上面図である。
【図５５】図５４の正面図である。
【図５６】蓋が開位置で示されている図５４の３ドアの蓋の斜視図である。
【図５７】図５６のロック／係合突出部の拡大部分の図である。
【図５８】図５６のロック／係合凹部の拡大部分の、図５９に示された断面矢印からの図である。
【図５９】図５６の上面図である。
【図６０】図５９の正面図である。
【図６１】図２４に示された容器の開口端部をシールするために使用することができる不正開封防止シールの上面図である。
【図６２】図６１の不正開封防止シールであるが、周囲もしくは周りの取付けゾーンまたはエリアが特定された図である。図６２に示す破線形状は、実質的に図２４に示す破線形状に対応しており、取付けゾーンの内周を表している。
【発明を実施するための形態】
【０１０１】
本発明は、例示的な実施形態を参照しながら、以下の詳細な説明においてさらに説明される。
非限定的な例
【０１０２】
図１〜図１６および図２４〜図５３は、非限定的な第１の実施形態を示す。図１に示すように、この実施形態は、１〜３２オンスの容積を有することができる略矩形の容器本体１０を含む粒状製品の容器１０００である。図１７〜図２３は、容器の容積を変えることができる、すなわち容器本体の全体的な長さを変えることによる１つのやり方を示す。図１〜図５および図２４〜図３０で見ることができるように、本体１０は、略外向きに湾曲した正面側１４Ａおよび背面側１４Ｂを有する。略平坦な左側１４Ｃおよび略平坦な右側１４Ｄは、それぞれ正面側および背面側よりも狭い幅を有する。丸角１４Ｅは、正面側および背面側を左側および右側に連結する。また本体１０は、面取りされた底面領域１３（図２を参照）、面取りされたリム領域１８（図２４を参照）、およびリム１６に隣接して位置付けられた蓋固定部１９Ａ〜１９Ｄを有する。リム１６に取り付けることによって開口部をシールするために、取外し可能な不正開封シール３０（図６１および図６２を参照）を利用することができる。図１および図３１〜図５０に示すように、蓋１００は、蓋１００を容器本体１０の蓋固定部１９Ａ〜１９Ｄに固定するようにサイズ設定され構成された蓋ベース５０を含む。蓋またはメインドア組立体６０は、ヒンジ４０を介して蓋ベース５０に可動に取り付けられ、固定される。蓋またはメインドア組立体６０は、正面側で開き背面側でヒンジ連結４０されるように適合されたメインドア７０を備える。メインドア７０はシールビード７３を有し、このシールビード７３は、閉位置においてリム領域の表面１６に係合し、閉位置においてスナップ連結７８Ｃ／５８を介して蓋ベース５０に係合する。上部プレート組立体８０は、メインドア７０に取り付けられる。図５１に示すように、上部プレート組立体８０は、ドア７０に固定されたまたは固定可能なメインもしくは中央部分８１を含む。左サイドドア８３は、少なくとも、スナップ連結を介してメインドア７０に対する開位置または閉位置をとることができ、メインドア７０に配置された注ぎ開口部７５を閉位置で閉じる。右サイドドア８７は、少なくとも、スナップ連結を介してメインドア７０に対する開位置または閉位置をとることができ、メインドア７０に配置された複数の開口部７６を閉位置で閉じる。また、注ぎ開口部７５を表す印８４、ふるい開口部７６を表す印８８、スプーンを表す印７９Ｃも含まれている。それに加えて、左サイドドア８３を開ける（差込み連結またはスナップ連結８６／７５を克服する）ために必要な力、または右サイドドア８７を開ける（差込み連結またはスナップ連結９０／７６を克服する）ために必要な力は、メインドア７０を開けるのに必要な力よりも少ない。
【０１０３】
図１〜図７を参照すると、３ドアの蓋を有する容器が、わずかに外向きに湾曲した正面側１４Ａおよび背面側１４Ｂ、ならびにわずかに外向きに湾曲した左側１４Ｃおよび右側１４Ｄをもつ略矩形の構成を有する様子を見ることができる。先細りの底面端部１３、および窪んだエリア１２を有する底面１１とともに、４つの丸角１４Ｅも、容器本体１０で利用される。下記で詳細に記述するが、容器１０００は、容器本体１０の開口上側端部に取り付けられスナップ連結を介してそれに連結された（例えば取外し不可能に、または取外し可能に取り付けられた）３ドアの蓋を有する。実施形態では、容器本体１０は、その内容物を見えるようにするために、透明または半透明とすることができる。あるいは、容器本体１０は、その内容物を少なくとも部分的に見えにくくする、または隠すように、無地であってもよく、または他のやり方で不透明であってもよい。
【０１０４】
図８〜図１１を参照すると、３ドアの蓋をもつ容器が、内容物をすくい出せるようになる開位置をとる様子を見ることができる。使用者または消費者は、ベース５０からドア組立体または構成要素６０を分離するように、蓋１００の正面に位置する突出部７８Ｃを上に押すことによって、図８に示す位置をとるように３ドアの蓋１００を開けることができ、ベース５０は、容器本体１０の上部に連結されたまま残っている。ベース５０からドア組立体６０を開くために、同組立体を閉位置に保持するスナップ連結を克服するのに十分な少しの力を加えなくてはならない。ドア組立体６０は、構成要素７０および８０を含み、ヒンジ４０を介してベース５０に可動に結合される。図８〜図１１に示される開位置では、容器本体１０の開口上側端部からの出し入れができるようになる。図１１には示していないが、最初に使用するとき、消費者または使用者はリム１６からシール３０を取り除くことが必要である。次いでシール３０は捨てられてもよい。その後、使用者または消費者は、ドア組立体６０を開け、開口部１７にスプーンを挿入し、容器の内容物をすくい出すことができる。これが完了したら、使用者または消費者は、ドア組立体６０を閉じることができる。これは、ドア組立体６０がベース５０にスナップ係合するまで使用者または消費者がドア組立体６０を下に押すことによって実現され、それにより図１に示す閉位置が再びとられる。
【０１０５】
図１２〜図１６を参照すると、３ドアの蓋をもつ容器が、内容物を注ぎ出す、またはふるい出す、またはそれらの両方をすることができるようになる２つの他の開位置をとる様子を見ることができる。使用者または消費者は、注ぎ開口部７５からシール突出部８４を分離するように、サイド蓋ドア８３の端部を上に押すことによって、図１２に示す位置をとるように蓋ドア８３を開けることができ、注ぎ開口部７５は、ドア８３を閉位置に保持するためのシールスナップ連結として作用する。部材７０からこのドア８３を開くために、同ドアを閉位置に保持するスナップ連結を克服するのに十分な少しの力を加えなくてはならない。また、使用者または消費者は、それぞれのふるい開口部７６からシール突出部９０を分離するように、蓋ドア８７の端部を上に押すことによって、図１２に示す位置をとるように他方のサイド蓋ドア８７を開けることができ、ふるい開口部７６は、ドア８７を閉位置に保持するためのシールスナップ連結として作用する。部材７０からこのドア８７を開くために、同ドアを閉位置に保持するスナップ連結を克服するのに十分な少しの力を加えなくてはならない。ドア８３および８７は、一体ヒンジ８５および８９を介してメイン要素８１に可動に結合されている。図１２〜図１６に示す開位置では、開ドア８３を介して内容物を注ぎ出す、またはドア８７を介して同内容物をふるい出すことができる。当然ながら、内容物を注ぎ出したいのか、内容物をふるい出したいのかに応じて、ドア８３か８７のいずれかを開けることができる。いずれか、または両方とも（ふるい、または注ぎ）が完了したら、使用者または消費者は、ドア８３および８７を閉じることができる。これは、各ドア８３および８７が部材７０にスナップ係合するまで使用者または消費者がそれを下に押すときに実現され、それによりドア８３および８７が図１に示す閉位置を再びとる。要素８４と７５のシール係合、および要素９０と７６のシール係合によって、ドア８３および８７の保持スナップ係合を提供することができるが、以下に記載するように、追加の機構によってスナップ保持係合が実現されてもよく、または拡張されてもよい。
【０１０６】
図２４〜図３０を参照すると、容器本体１０が、メイン開口部１７およびリム１６によって画成された開口上側端部を有する様子を見ることができる。とりわけリム１６は、シール３０のための取付けエリアとして機能する。本体１０の上側端部は、３ドアの蓋１００のための取付け構成を含む。この取付け構成は、リム１６と、周囲先細り部１８と、先細り丸角２０と、スナップ凹部または窪み１９Ａ、１９Ｂ、１９Ｃ、および１９Ｄを含む周囲窪み１９とを含む。
【０１０７】
図３１〜図３８を参照すると、３ドアの蓋が、容器本体１０とは別に形成された組立体であり、上述した３つのメイン構成要素を含んでいる様子を見ることができる。これらは、略矩形のリング形状のベース５０（図４３および４４も参照）と、ドア組立体６０とを含む。ベース５０は、３ドアの蓋１００を容器本体１０に取り付ける役割を果たす。ドア組立体６０は、ヒンジ４０を介してベース５０に可動に取り付けられ、ヒンジ４０によって、開位置または中間位置（ｐａｒｔｉａｌｌｙ  ｐｏｓｉｔｉｏｎ）（図３９を参照）と閉位置（図３１を参照）の間でドア組立体６０は動くことができるようになる。ドア組立体６０は、サイドドアプレート８０とメインドア７０を含む。サイドドアプレート８０は、（図３８に示す凹部に係合する突出部を介して）メインドア７０に取外し不可能に取り付けられたメイン部分８１と、注ぎサイドドア８３と、ふるいサイドドア８７とを含む。図３８から明らかなように、ベース５０は、底縁部５１と、本体１０の先細り表面１８に実質的に一致する先細り表面５４を含む。それに加えて、ベース５０は、本体１０の凹部１９Ａ、１９Ｂ、１９Ｃ、および１９Ｄに係合するロックまたは係合／スナップ突出部５２を含む。またベース５０は、先細り表面１８の上側端部に実質的に係合する上側端部５５を有する。またベース５０は、図３８に示すように、ドア７０の内周に係合することができる凹んだ外周を含む。図３８に示す閉位置では、ドア７０が、容器本体１０（図３８には示さず）のリム１６に（シールするように）係合することができるシール突出部７３を有するのを見ることができる。同じく図３８から明らかなように、サイドドアパネル８０は、１つまたは複数の固定開口部に（例えば超音波溶接によって）係合する１つまたは複数の固定突出部８２と、ドア７０の注ぎ開口部を閉じることができる突出部８４と、ドア７０の１つまたは複数のふるい開口部を閉じることができる１つまたは複数の突出部９０とを含む。
【０１０８】
図３９〜図５０を参照すると、３ドアの蓋１００が様々な位置をとる様子を見ることができる。図３９〜図４４では、ドア組立体６０は、ベース５０に対して開位置にある。この位置では（かつ本体１０に装着されているとき）、シール突出部７３はもはやリム１６に接触しない。それに加えて、表面５６のシールおよび係合突出部５８は、もはや保持凹部ＲＲ（図３８を参照）に係合していない。さらに、ドア７０の下側端部は、図３８に示す閉位置にあるときのようにはショルダ５７にもはや当接していない。図４５〜図５０では、ドア組立体６０はベース５０に対して開位置にあるが、２つのサイドドア８３および８７は、両方とも開位置で示されている。当然ながら、ドア８３を閉じたままでドア８７だけを開くことができ、その逆も可能である。明らかなように、かつ上記で検討したように、ドア８３が開位置にあるとき、シール突出部８６は、同様のまたは同一の形状の注ぎ開口部７５をもはや閉じていない。明らかなように、かつ上記で検討したように、ドア８７が開位置にあるとき、シール突出部９０は、同様のまたは同一の形状のふるい開口部７６をもはや閉じていない。図１〜図５３に示す例示的な実施形態では、２つの長い突出部９０が短い突出部と組み合わされ、長い突出部は、ドア８７を閉位置に保持するのを補助するように機能する。当然ながら、他の構成を利用することも可能である。またドア８７は、部材７０のショルダとスナップ係合することによってドア８７を閉位置に保持するように機能することができる突出フランジ９１Ａを含む。またドア８３は、部材７０の表面７８Ａおよび７９Ｂ（図５２を参照）の上に位置付けられたショルダとスナップ係合することによってドア８３を閉位置に保持するように機能することができる突出フランジ９１Ｂを含む。
【０１０９】
図５１〜図５３を参照すると、３ドアの蓋１００の３つのメイン構成要素の細部を見ることができる。これらの構成要素は、容器本体１０に取り付けられる前に、１つに組立ておよび接合されて蓋１００が形成されるが、上サイドドアプレート８０が別に形成され、次いで構成要素５０および７０から形成されたドア組立体に固定されてもよい。明らかなように、プレート８０は、メイン区分８１と、一体ヒンジ８５および８９を介してそれに連結された２つのドア８３および８７とを含む１片の部材とすることができる。ドア８３は、積重ね突出部９２Ｂおよび形成突出部８４を含み、形成突出部８４は上面からわずかに突出していてもよく、視覚的な指標を提供し、注ぎ開口部の位置とともに、その形状およびサイズも示す。こうして、使用者または消費者は、ドア８３によって、容器１０００の注ぎ特徴部からの出し入れが可能になることに気づく。シール／閉鎖突出部８６は、視覚的指標突出部８４の反対側に配置することができる。同様に、ドア８７は、積重ね突出部９２Ｂおよび形成突出部８８を含み、形成突出部８８は上面からわずかに突出していてもよく、視覚的な指標を提供し、ふるい開口部の位置とともに、それらの数、構成、形状、およびサイズも示す。こうして、使用者または消費者は、ドア８７によって、容器１０００のふるい特徴部からの出し入れが可能になることに気づく。シール／閉鎖突出部９０は、視覚的指標突出部８８の反対側に配置することができる。
【０１１０】
図５２を参照すると、メインドア７０の細部を見ることができ、メインドア７０は、図５３に示す部材５０とともに、これらの部材がヒンジ４０を介して連結された状態で、１片の部材として形成することができる。明らかなように、部材７０は、注ぎ開口部７５と、部分８１を取り付ける役割を果たすことができる３つの固定開口部７７と、ふるい開口部７６とともに、略平坦な上面７４を有する。それに加えて、２つの反対の側では、使用者がより簡単に指を挿入しドア８３および８７を持ち上げて開けることができるようにする窪み７８Ａが利用される。
【０１１１】
図５３を参照すると、ベース５０の細部を見ることができ、ベース５０は、図５２に示す部材７０とともに、これらの部材がヒンジ４０を介して連結された状態で、１片の部材として形成することができる。明らかなように、部材５０は略矩形のリングである。それに加えて、正面側では、使用者がより簡単に指を挿入しドア組立体６０を持ち上げて開けることができるようにする窪みＦＩが利用される。
【０１１２】
図５４〜図６０を参照すると、３ドアの蓋１００’が修正された構成を有する様子を見ることができる。この実施形態では、蓋１００に対して特定の特徴部の修正および／または追加が行われることを除き、蓋１００’は蓋１００のすべてのメイン構成要素および特徴部を含み得る。例えば蓋１００’は、異なる形状およびサイズの積重ね突出部９２Ｂ’および９２Ａ’を含んでもよい。それに加えて、視覚的指標突出部８８’の下に位置付けられたふるい開口部は、異なる数および構成のものであってもよい。さらに、ベース５０’とドア組立体６０の開放可能な保持連結を改善するために、ドア組立体６０’のドア７０”に配置された１つまたは複数のロック凹部ＬＲに係合可能な１つまたは複数のロック突出部ＬＰが、ベース５０’で利用されてもよい。当然ながら、突出部ＬＰがドア７０’に配置され、凹部ＬＲがベース５０’に位置付けられてもよい。それに加えて、突出部ＬＰおよび凹部ＬＲは、図５６〜図５８に示す構成以外の構成を有してもよい。非限定的な一実施形態（例えば６オンス容器）によれば、ロック突出部の寸法は以下の値、すなわちＸ１＝０．１５５インチ、Ｘ２＝０．１３５インチ、Ｘ３＝０．０１０インチ、Ｘ４＝０．１０５インチを有してもよく、ロック凹部の寸法は以下の値、すなわちＹ１＝０．１４５インチ、Ｙ２＝０．１００インチ、Ｙ３＝０．０１０インチまたは０．００５インチ、Ｙ４＝０．１２５インチまたは０．１３５インチを有してもよい。これらの寸法は、所望されるスナップ力の大きさに応じて異なってもよい。それに加えて、リムのサイドに沿った突出部ＬＰおよび凹部ＬＲの間隔および位置も、容器の容積に応じて異なってもよく、小さい容器、例えば３オンス容器は、互いに近くにまたは中央の近くに離間して位置付けられた突出部および凹部を有し、大きい容積の容器は、リムの角の近くに位置付けられた、またはリム上で互いにより遠くに離間した突出部および凹部を有する。それに加えて、非限定的な実施形態では、互いに近くに離間したまたは中央の近くに位置付けられた凹部／突出部の場合、それら（凹部および突出部）は、約４．５度の角度を有する先細りの入口エリアを有してもよい。互いに遠くにまたは角の近くに離間した凹部の場合、それら（凹部および突出部）は、約６．３３７度の角度の、やや大きく先細りした入口エリアを有してもよい。
【０１１３】
本発明の例示的な特徴および利点は、本明細書に記載したものに加えて、面取りされた底面を有する容器本体、面取りされたリムエリアを有する容器本体、ふるいドアおよび注ぎドアに配置された積重ね突出部、米国特許出願公開第２００７／０１７０１９２号の注ぎ開口部よりも方向的に注ぎやすくなった略三角形の注ぎ開口部、伝導または誘導シール方法などの溶接により容器のリムに固定される剥離可能な不正開封シール、蓋を装着する前に装着され、容器から蓋を取り外す必要なく、取り外すことができる不正開封シール、蓋ベースと容器リムとのシールビードスナップ連結であって、これらのエリア間でふるい防止シールを提供するシールビードスナップ連結、メインドアが９０度開いたとき、容器のリム全体を見ることができ（図１０を参照）、それにより容器の内容物をより簡単にすくい出すことができるシールビードスナップ連結、メインドアが９０度開いたとき、メインドアの正面に面する端部（閉じたときの下端部）が、容器のリムから離れて位置付けられまたは離間され（図１０を参照）、それによりメインドアがより邪魔にならないように位置付けられ、容器の内容物をより簡単にすくい出すことができるシールビードスナップ連結、メインドアが９０度開いたとき、容器のリムの内側縁部全体を見ることができ（図１１を参照）、それにより容器の内容物をより簡単にすくい出すことができるシールビードスナップ連結、メインドアが１８０度開いたとき、容器のリム全体およびリム内側縁部全体を見ることができ（図２０を参照）、それにより容器の内容物をより簡単にすくい出すことができるシールビードスナップ連結、メインドアが１８０度開いたとき、メインドアの上側に面する端部（閉じたときの下端部）が、容器のリムの下に位置付けられ（図２０を参照）、それによりメインドアが全く邪魔にならないように位置付けられ、容器の内容物をより簡単にすくい出すことができるシールビードスナップ連結、を含む。
【０１１４】
上記のデバイスは、本明細書に参考として明示的に組み込まれた先行技術文献で開示された１つまたは複数の特徴を利用することもできる。さらにデバイスの様々な部分のうちの１つまたは複数は、製造のコストが低減されるならば、好ましくは、例えば射出成形によって１片の構造として作ることができる。すべての部分のための非限定的な材料は、食品包装用に承認されたものなどの合成樹脂を含む。容器は、例えばプロピレンから作られてもよく、蓋は、例えばＰＥＴまたはＰＰから作られてもよい。さらに本発明は、一実施形態のいずれかのまたはすべての開示された特徴が、他の開示された実施形態で使用され得ることも企図するが、ただし、そのような修正が意図された目的のために機能する場合に限る。
【０１１５】
少なくとも、本発明は、人がそれを製作し使用することができるようなやり方で本明細書で開示されていることから、本発明の特定の例示的な実施形態を開示することによって、本発明は、本明細書で特に開示していない任意の追加の要素または追加の構造がなくても実施することができる。
【０１１６】
上記の例は、単に説明を目的として提供されており、決して本発明を限定するものとは解釈されないことに留意すべきである。本発明は、例示的な実施形態を参照しながら記述されたが、本明細書で使用した単語は、記述および図解する単語であり、限定する単語ではないことが理解される。出願時または補正後の添付の特許請求の範囲に記載の範囲内で、その態様において本発明の範囲および趣旨から逸脱することなく、変更を加えることができる。本発明は、特定の手段、材料、および実施形態を参照して本明細書に記載されたが、本発明は、本明細書で開示した詳細事項に限定されることは意図されておらず、むしろ本発明は、添付の特許請求の範囲に記載の範囲内にあるものなど、すべての機能的に等価な構造、方法、および使用法に及ぶ。
【符号の説明】
【０１１７】
１０  容器本体
１１  底面
１２  凹んだエリア
１３  底面領域
１４Ａ  正面側
１４Ｂ  背面側
１４Ｃ  左側
１４Ｄ  右側
１４Ｅ  丸角
１６  リム
１７  開口部
１８  リム領域
１９Ａ  蓋固定部
１９Ｂ  蓋固定部
１９Ｃ  蓋固定部
１９Ｄ  蓋固定部
３０  シール
４０  ヒンジ
５０  蓋ベース
５１  底縁部
５２  スナップ突出部
５４  先細り表面
５５  上側端部
５８  スナップ連結
６０  ドア組立体
７０  メインドア
７３  シールビード
７５  注ぎ開口部
７６  ふるい開口部
７８Ａ  表面
７９Ｂ  表面
７８Ｃ  スナップ連結
８０  上部プレート組立体
８１  中央部分
８３  サイドドア
８４  突出部
８５  一体ヒンジ
８６  突出部
８７  サイドドア
８８  印、突出部
８９  一体ヒンジ
９０  突出部
９１Ａ  突出フランジ
９１Ｂ  突出フランジ
９２Ａ’  積重ね突出部
９２Ｂ  積重ね突出部
１００  蓋
１０００  容器
【図１】
2019528908.tif 000003
【図２】
2019528908.tif 000004
【図３】
2019528908.tif 000005
【図４】
2019528908.tif 000006
【図５】
2019528908.tif 000007
【図６】
2019528908.tif 000008
【図７】
2019528908.tif 000009
【図８】
2019528908.tif 000010
【図９】
2019528908.tif 000011
【図１０】
2019528908.tif 000012
【図１１】
2019528908.tif 000013
【図１２】
2019528908.tif 000014
【図１３】
2019528908.tif 000015
【図１４】
2019528908.tif 000016
【図１５】
2019528908.tif 000017
【図１６】
2019528908.tif 000018
【図１７】
2019528908.tif 000019
【図１８】
2019528908.tif 000020
【図１９】
2019528908.tif 000021
【図２０】
2019528908.tif 000022
【図２１】
2019528908.tif 000023
【図２２】
2019528908.tif 000024
【図２３】
2019528908.tif 000025
【図２４】
2019528908.tif 000026
【図２５】
2019528908.tif 000027
【図２６】
2019528908.tif 000028
【図２７】
2019528908.tif 000029
【図２８】
2019528908.tif 000030
【図２９】
2019528908.tif 000031
【図３０】
2019528908.tif 000032
【図３１】
2019528908.tif 000033
【図３２】
2019528908.tif 000034
【図３３】
2019528908.tif 000035
【図３４】
2019528908.tif 000036
【図３５】
2019528908.tif 000037
【図３６】
2019528908.tif 000038
【図３７】
2019528908.tif 000039
【図３８】
2019528908.tif 000040
【図３９】
2019528908.tif 000041
【図４０】
2019528908.tif 000042
【図４１】
2019528908.tif 000043
【図４２】
2019528908.tif 000044
【図４３】
2019528908.tif 000045
【図４４】
2019528908.tif 000046
【図４５】
2019528908.tif 000047
【図４６】
2019528908.tif 000048
【図４７】
2019528908.tif 000049
【図４８】
2019528908.tif 000050
【図４９】
2019528908.tif 000051
【図５０】
2019528908.tif 000052
【図５１】
2019528908.tif 000053
【図５２】
2019528908.tif 000054
【図５３】
2019528908.tif 000055
【図５４】
2019528908.tif 000056
【図５５】
2019528908.tif 000057
【図５６】
2019528908.tif 000058
【図５７】
2019528908.tif 000059
【図５８】
2019528908.tif 000060
【図５９】
2019528908.tif 000061
【図６０】
2019528908.tif 000062
【図６１】
2019528908.tif 000063
【図６２】
2019528908.tif 000064
【国際調査報告】
2019528908.tif 000065
2019528908.tif 000066
2019528908.tif 000067